(57)【特許請求の範囲】
【請求項１】
磁性体からなるコアと、絶縁体からなるケースと、Ｎ本（Ｎは、２以上の整数）のコイルとを備えたラインフィルタであって、
前記ケースは、環状部と、孔部とを有しており、
前記環状部は、所定方向に沿って延びる軸を囲む円環形状を有しており、前記所定方向と直交する周方向に沿って延びており、
前記コアは、前記環状部の内部に収容されており、
前記孔部は、前記所定方向と直交する直交平面において前記環状部に囲まれており、
前記環状部には、前記コイルに夫々対応するＮ個の被巻回部と、Ｎ個の仕切部とが設けられており、
前記被巻回部及び前記仕切部は、前記周方向に沿って交互に配置されており、
前記仕切部の夫々は、前記周方向において隣り合う２つの前記被巻回部を仕切っており、
前記孔部には、隔壁が設けられており、
前記隔壁は、前記直交平面において前記仕切部に繋がっており、これにより、前記孔部を、前記被巻回部に夫々対応するＮ個の通過孔に分割しており、
前記通過孔は、前記直交平面において、前記隔壁によって互いに隔てられており、
前記通過孔の夫々は、前記所定方向に沿って前記ケースを貫通しており、且つ、前記直交平面において、対応する前記被巻回部と隣接しており、
前記コイルの夫々は、コイル部を有しており、
前記コイル部の夫々は、対応する前記通過孔を通過しつつ、対応する前記被巻回部に巻回されており、
前記被巻回部の夫々には、複数のガイド突起が設けられており、
前記コイル部の夫々は、前記周方向において隣り合う２つの前記ガイド突起の間に、少なくとも部分的に位置しており、
前記コイル部の夫々は、丸線のマグネットワイヤから形成されており、
前記丸線の線径は、０．８ｍｍ以上であり、
前記ガイド突起の夫々は、前記直交平面における前記環状部の外側に向かって、前記丸線の半径以上の距離だけ突出しており、
前記環状部は、第１面と、第２面と、外周面とを有しており、
前記第１面及び前記第２面は、前記所定方向における前記環状部の両側に夫々位置する平面であり、
前記外周面は、前記所定方向において前記第１面と前記第２面との間に位置する面であり、前記直交平面における前記環状部の外周に沿って延びており、
前記ガイド突起の夫々は、前記外周面上に設けられており、前記直交平面における前記環状部の外側に向かって突出しており、
前記コイル部の夫々において、前記周方向において隣り合う２つの前記ガイド突起の間に位置する部位は、前記外周面から離れており、
前記環状部は、第１曲面と、第２曲面とを有しており、
前記外周面は、前記所定方向と平行に延びており、
前記第１曲面及び前記第２曲面の夫々は、前記所定方向と交差しており、
前記第１曲面は、前記所定方向において前記第１面と前記外周面との間に位置しており、
前記第２曲面は、前記所定方向において前記第２面と前記外周面との間に位置しており、
前記ガイド突起の夫々は、前記外周面上にのみ設けられており、且つ、前記第１曲面及び前記第２曲面の夫々から離れている
ラインフィルタ。
【請求項２】
請求項１記載のラインフィルタであって、
前記ガイド突起の夫々は、前記所定方向において前記第１曲面及び前記第２曲面の夫々から離れている
ラインフィルタ。
【請求項３】
請求項１記載のラインフィルタであって、
前記ガイド突起の夫々は、前記直交平面において前記第１曲面及び前記第２曲面の夫々から離れている
ラインフィルタ。
【請求項４】
請求項１から請求項３までのいずれかに記載のラインフィルタであって、
前記ガイド突起の夫々は、前記直交平面における前記環状部の外側に向かって、前記丸線の前記線径以下の距離だけ突出している
ラインフィルタ。
【請求項５】
磁性体からなるコアと、絶縁体からなるケースと、Ｎ本（Ｎは、２以上の整数）のコイルとを備えたラインフィルタであって、
前記ケースは、環状部と、孔部とを有しており、
前記環状部は、所定方向に沿って延びる軸を囲む円環形状を有しており、前記所定方向と直交する周方向に沿って延びており、
前記コアは、前記環状部の内部に収容されており、
前記孔部は、前記所定方向と直交する直交平面において前記環状部に囲まれており、
前記環状部には、前記コイルに夫々対応するＮ個の被巻回部と、Ｎ個の仕切部とが設けられており、
前記被巻回部及び前記仕切部は、前記周方向に沿って交互に配置されており、
前記仕切部の夫々は、前記周方向において隣り合う２つの前記被巻回部を仕切っており、
前記孔部には、隔壁が設けられており、
前記隔壁は、前記直交平面において前記仕切部に繋がっており、これにより、前記孔部を、前記被巻回部に夫々対応するＮ個の通過孔に分割しており、
前記通過孔は、前記直交平面において、前記隔壁によって互いに隔てられており、
前記通過孔の夫々は、前記所定方向に沿って前記ケースを貫通しており、且つ、前記直交平面において、対応する前記被巻回部と隣接しており、
前記コイルの夫々は、コイル部を有しており、
前記コイル部の夫々は、対応する前記通過孔を通過しつつ、対応する前記被巻回部に巻回されており、
前記被巻回部の夫々には、複数のガイド突起が設けられており、
前記コイル部の夫々は、前記周方向において隣り合う２つの前記ガイド突起の間に、少なくとも部分的に位置しており、
前記コイル部の夫々は、丸線のマグネットワイヤから形成されており、
前記丸線の線径は、０．８ｍｍ以上であり、
前記ガイド突起の夫々は、前記直交平面における前記環状部の外側に向かって、前記丸線の半径以上の距離だけ突出しており、
前記ガイド突起の夫々は、前記直交平面における前記環状部の外側に向かって、前記丸線の前記線径以下の距離だけ突出している
ラインフィルタ。
【請求項６】
請求項５記載のラインフィルタであって、
前記環状部は、第１面と、第２面と、外周面とを有しており、
前記第１面及び前記第２面は、前記所定方向における前記環状部の両側に夫々位置する平面であり、
前記外周面は、前記所定方向において前記第１面と前記第２面との間に位置する面であり、前記直交平面における前記環状部の外周に沿って延びており、
前記ガイド突起の夫々は、前記外周面上に設けられており、前記直交平面における前記環状部の外側に向かって突出しており、
前記コイル部の夫々において、前記周方向において隣り合う２つの前記ガイド突起の間に位置する部位は、前記外周面から離れている
ラインフィルタ。
【請求項７】
請求項１から請求項６までのいずれかに記載のラインフィルタであって、
前記コイル部の夫々は、対応する前記被巻回部のみに巻回されている
ラインフィルタ。
【請求項８】
請求項１から請求項７までのいずれかに記載のラインフィルタであって、
前記被巻回部の夫々には、３つ以上のガイド突起が設けられており、
前記被巻回部の夫々における前記ガイド突起は、前記周方向に沿って等間隔に配置されている
ラインフィルタ。
【請求項９】
請求項１から請求項８までのいずれかに記載のラインフィルタであって、
前記環状部における前記ガイド突起は、前記軸と直交する所定線について線対称に配置されている
ラインフィルタ。
【請求項１０】
請求項１から請求項９までのいずれかに記載のラインフィルタであって、
前記コイル部の夫々において、前記周方向において隣り合う２つの前記ガイド突起の間に位置する部位の巻回数は、４以下である
ラインフィルタ。
【発明の詳細な説明】
【技術分野】
【０００１】
本発明は、コモンモードノイズを除去するためのラインフィルタに関する。
【背景技術】
【０００２】
例えば、特許文献１には、このタイプのラインフィルタが開示されている。
【０００３】
特許文献１に開示されたコモンモードチョークコイル（ラインフィルタ）は、トロイダルコア（コア）と、トロイダルコアを収容した環形状のコアケース（ケース）と、２本の巻線（コイル）とを備えている。ケースは、仕切りによって、２つの部位（被巻回部）に仕切られている。２本のコイルは、２つの被巻回部に夫々巻回されており、仕切りによって互いに絶縁されている。
【先行技術文献】
【特許文献】
【０００４】
【特許文献１】特開２０００−２２８３１０
【発明の概要】
【発明が解決しようとする課題】
【０００５】
ラインフィルタのコイルは、電源ラインに接続される場合がある。この場合、コイルに大電流が流れるため、太いコイルを使用する必要がある。また、コアは、多くの場合、導電体である軟磁性金属を含んでいる。従って、コアを絶縁体からなるケースに収容して、コイルとコアとの間を確実に絶縁する必要がある。加えて、２本のコイルは、絶縁体によって互いに隔てることが好ましい。しかしながら、上述のような対策を施したラインフィルタをいくつか試作してみると、ノーマルモードインダクタンスが大きくばらつく。
【０００６】
そこで、本発明は、ノーマルモードインダクタンスのばらつきを抑制しつつ、電源ラインのコモンモードノイズを除去できるラインフィルタを提供することを目的とする。
【課題を解決するための手段】
【０００７】
コイルを電源ラインに接続する場合、コイルの巻回数は、必要なコモンモードインダクタンスが得られ、且つ、大電流に起因するコイルの発熱を抑制できるように設計する必要がある。本発明の発明者は、上述の設計によれば巻回数が比較的小さくなり、コイルをケース上に疎らに巻回すべき場合があることに気づいた。しかしながら、環形状のケースに太いコイルを疎らに巻回する場合、巻回工程を自動化し難い。即ち、巻回工程を、作業者の手作業に頼る必要がある。本発明の発明者は、手作業に頼った巻回工程において、２本のコイルが必ずしも同様に巻回されず、この結果、ノーマルモードインダクタンスがばらつくことを見出した。本発明は、この知見に基づき、以下のラインフィルタを提供する。
【０００８】
本発明は、第１のラインフィルタとして、
磁性体からなるコアと、絶縁体からなるケースと、Ｎ本（Ｎは、２以上の整数）のコイルとを備えたラインフィルタであって、
前記ケースは、環状部と、孔部とを有しており、
前記環状部は、所定方向に沿って延びる軸を囲む円環形状を有しており、前記所定方向と直交する周方向に沿って延びており、
前記コアは、前記環状部の内部に収容されており、
前記孔部は、前記所定方向と直交する直交平面において前記環状部に囲まれており、
前記環状部には、前記コイルに夫々対応するＮ個の被巻回部と、Ｎ個の仕切部とが設けられており、
前記被巻回部及び前記仕切部は、前記周方向に沿って交互に配置されており、
前記仕切部の夫々は、前記周方向において隣り合う２つの前記被巻回部を仕切っており、
前記孔部には、隔壁が設けられており、
前記隔壁は、前記直交平面において前記仕切部に繋がっており、これにより、前記孔部を、前記被巻回部に夫々対応するＮ個の通過孔に分割しており、
前記通過孔は、前記直交平面において、前記隔壁によって互いに隔てられており、
前記通過孔の夫々は、前記所定方向に沿って前記ケースを貫通しており、且つ、前記直交平面において、対応する前記被巻回部と隣接しており、
前記コイルの夫々は、コイル部を有しており、
前記コイル部の夫々は、対応する前記通過孔を通過しつつ、対応する前記被巻回部に巻回されており、
前記被巻回部の夫々には、複数のガイド突起が設けられており、
前記コイル部の夫々は、前記周方向において隣り合う２つの前記ガイド突起の間に、少なくとも部分的に位置している
ラインフィルタを提供する。
【０００９】
また、本発明は、第２のラインフィルタとして、第１のラインフィルタであって、
前記コイル部の夫々は、対応する前記被巻回部のみに巻回されている
ラインフィルタを提供する。
【００１０】
また、本発明は、第３のラインフィルタとして、第１又は第２のラインフィルタであって、
前記環状部は、第１面と、第２面と、外周面とを有しており、
前記第１面及び前記第２面は、前記所定方向における前記環状部の両側に夫々位置する平面であり、
前記外周面は、前記所定方向において前記第１面と前記第２面との間に位置する面であり、前記直交平面における前記環状部の外周に沿って延びており、
前記ガイド突起の夫々は、前記外周面上に設けられており、前記直交平面における前記環状部の外側に向かって突出しており、
前記コイル部の夫々において、前記周方向において隣り合う２つの前記ガイド突起の間に位置する部位は、前記外周面から離れている
ラインフィルタを提供する。
【００１１】
また、本発明は、第４のラインフィルタとして、第３のラインフィルタであって、
前記環状部は、第１曲面と、第２曲面とを有しており、
前記外周面は、前記所定方向と平行に延びており、
前記第１曲面及び前記第２曲面の夫々は、前記所定方向と交差しており、
前記第１曲面は、前記所定方向において前記第１面と前記外周面との間に位置しており、
前記第２曲面は、前記所定方向において前記第２面と前記外周面との間に位置しており、
前記ガイド突起の夫々は、前記外周面上にのみ設けられており、且つ、前記第１曲面及び前記第２曲面の夫々から離れている
ラインフィルタを提供する。
【００１２】
また、本発明は、第５のラインフィルタとして、第４のラインフィルタであって、
前記ガイド突起の夫々は、前記所定方向において前記第１曲面及び前記第２曲面の夫々から離れている
ラインフィルタを提供する。
【００１３】
また、本発明は、第６のラインフィルタとして、第４のラインフィルタであって、
前記ガイド突起の夫々は、前記直交平面において前記第１曲面及び前記第２曲面の夫々から離れている
ラインフィルタを提供する。
【００１４】
また、本発明は、第７のラインフィルタとして、第１から第６までのラインフィルタのいずれかであって、
前記コイル部の夫々は、丸線のマグネットワイヤから形成されている
ラインフィルタを提供する。
【００１５】
また、本発明は、第８のラインフィルタとして、第７のラインフィルタであって、
前記丸線の線径は、０．８ｍｍ以上である
ラインフィルタを提供する。
【００１６】
また、本発明は、第９のラインフィルタとして、第７又は第８のラインフィルタであって、
前記ガイド突起の夫々は、前記直交平面における前記環状部の外側に向かって、前記丸線の半径以上の距離だけ突出している
ラインフィルタを提供する。
【００１７】
また、本発明は、第１０のラインフィルタとして、第１から第９までのラインフィルタのいずれかであって、
前記被巻回部の夫々には、３つ以上のガイド突起が設けられており、
前記被巻回部の夫々における前記ガイド突起は、前記周方向に沿って等間隔に配置されている
ラインフィルタを提供する。
【００１８】
また、本発明は、第１１のラインフィルタとして、第１から第１０までのラインフィルタのいずれかであって、
前記環状部における前記ガイド突起は、前記軸と直交する所定線について線対称に配置されている
ラインフィルタを提供する。
【００１９】
また、本発明は、第１２のラインフィルタとして、第１から第１１までのラインフィルタのいずれかであって、
前記コイル部の夫々において、前記周方向において隣り合う２つの前記ガイド突起の間に位置する部位の巻回数は、４以下である
ラインフィルタを提供する。
【発明の効果】
【００２０】
本発明によれば、コアは、絶縁体からなるケースに収容されており、これにより、コアとコイル部との間が確実に絶縁されている。また、仕切部の夫々は、周方向において隣り合う２つの被巻回部を仕切っており、且つ、ケースの隔壁は、ケースの孔部を、Ｎ個のコイル部が夫々通過するＮ個の通過孔に分割している。このように形成した仕切部及び隔壁は、Ｎ個のコイル部を互いに絶縁できる。上述の構造により、本発明のラインフィルタは、電源ラインに接続可能である。また、本発明によれば、被巻回部の夫々に、複数のガイド突起が設けられている。作業者は、ガイド突起の間にコイルを巻回することで、Ｎ本のコイルを互いに同様に巻回でき、これにより、ノーマルモードインダクタンスのばらつきを抑制できる。即ち、本発明によれば、ノーマルモードインダクタンスのばらつきを抑制しつつ、電源ラインのコモンモードノイズを除去できるラインフィルタを提供できる。
【図面の簡単な説明】
【００２１】
【図１】本発明の実施の形態によるラインフィルタを示す斜視図である。ラインフィルタの仮想的な中心軸を破線で描画している。
【図２】図１のラインフィルタを示す正面図である。ケースに収容されたコアの輪郭、及び、コモンモードノイズによって生じる磁束を２点鎖線で描画している。ラインフィルタの一部（１点鎖線で囲んだ部分）を拡大して描画している。
【図３】図１のラインフィルタを示す背面図である。ラインフィルタの一部（１点鎖線で囲んだ部分）を拡大して描画している。
【図４】図１のラインフィルタを示す側面図である。
【図５】図１のラインフィルタを示す底面図である。
【図６】図２のラインフィルタのコアを示す斜視図である。コアの仮想的な中心軸を破線で描画している。
【図７】図１のラインフィルタのケースを示す正面図である。ケースの仮想的な対称線を破線で描画している。ケースの一部（１点鎖線で囲んだ部分）を拡大して描画している。拡大図において、コイル部の一部の輪郭を破線で描画している。
【図８】図７のケースを示す背面図である。
【図９】図７のケースを示す側面図である。
【図１０】図７のケースを示す別の側面図である。
【図１１】図７のケースを示す上面図である。ケースの仮想的な中心軸を破線で描画している。ケースの隠れた内側の面を１点鎖線で描画している。
【図１２】図７のケースを示す底面図である。
【図１３】図１のラインフィルタの変形例を示す斜視図である。ラインフィルタの仮想的な中心軸を破線で描画している。
【図１４】図１３のラインフィルタを示す上面図である。ケースの仮想的な対称線を破線で描画している。
【図１５】図１３のラインフィルタを示す底面図である。
【図１６】図１３のラインフィルタの付加部材を示す斜視図である。
【図１７】図１のラインフィルタの別の変形例を示す斜視図である。ラインフィルタの仮想的な中心軸を破線で描画している。
【図１８】図１７のラインフィルタを示す上面図である。ケースの仮想的な対称線を破線で描画している。
【図１９】図１７のラインフィルタを示す底面図である。
【発明を実施するための形態】
【００２２】
図１から図３までを参照すると、本発明の実施の形態によるラインフィルタ１０は、磁性体からなるコア２０（図２及び図６参照）と、絶縁体からなるケース３０と、２本のコイル６０とを備えている。コア２０は、ケース３０に収容されている。コイル６０の夫々は、ケース３０に巻回されている。後述するように、本実施の形態のラインフィルタ１０は、電源回路（図示せず）等の大電流回路のコモンモードチョークコイルとして適している。但し、本発明は、これに限られない。例えば、本発明は、通信回路（図示せず）のコモンモードチョークコイルにも適用可能である。
【００２３】
以下、ラインフィルタ１０の構造について説明する。
【００２４】
図６を参照すると、本実施の形態のコア２０は、フェライト，ナノ結晶材等の軟磁性金属材料からなる。但し、本発明は、これに限られず、コア２０が必要な磁気特性を有する限り、コア２０の材料は、特に限定されない。
【００２５】
コア２０は、トロイダルコアであり、軸ＡＸ（コア２０の中心軸）を中心とする円環形状を有している。詳しくは、コア２０は、内周面２２と、外周面２４と、中心孔２８とを有している。中心孔２８は、コア２０に形成された空間であり、軸ＡＸに沿ってコア２０を貫通している。内周面２２は、軸ＡＸと直交する直交平面におけるコア２０の内周を規定している。外周面２４は、直交平面におけるコア２０の外周を規定している。
【００２６】
内周面２２及び外周面２４の夫々は、直交平面において円形状を有しており直線状に延びる部位を有していない。特に、本実施の形態の内周面２２及び外周面２４の夫々は、直交平面において真円形状を有している。但し、本発明は、これに限られない。例えば、内周面２２及び外周面２４の夫々は、直交平面において楕円形状を有していてもよい。
【００２７】
本実施の形態のコア２０は、一体成型された単一の磁性部材である。コア２０は、磁気ギャップ等の切れ目を有していない。即ち、内周面２２は、直交平面において中心孔２８を切れ目なく囲んでいる。但し、本発明は、これに限られない。例えば、コア２０は、複数の磁性部材を含んでいてもよいし、磁気ギャップを有していてもよい。
【００２８】
図１を参照すると、本実施の形態のケース３０は、ＰＢＴ（ポリブチレンテレフタレート），ＰＥＴ（ポリエチレンテレフタレート），フェノール等のプラスチック樹脂からなる。但し、本発明は、これに限られず、ケース３０が必要な絶縁性を有している限り、ケース３０の材料は、特に限定されない。
【００２９】
本実施の形態のケース３０は、２つの部材（第１部材３０２及び第２部材３０４）を含んでいる。図１及び図２を参照すると、第１部材３０２及び第２部材３０４は、上述した材料から互いに別体にモールド成型された後に、圧粉成型したコア２０をケース３０の内部に収容するようにして互いに組み合わされている。但し、本発明は、これに限られない。例えば、コア２０を圧粉成型した後に所定の金型（図示せず）に入れ、この金型を使用して、樹脂をケース３０の形状にモールド成型してもよい。即ち、ケース３０は、単一の部材であってもよい。一方、ケース３０は、３つ以上の部材を含んでいてもよい。
【００３０】
図１から図３までを参照すると、ケース３０は、環状部３２と、孔部３４とを有している。環状部３２は、コア２０（図２及び図６参照）に対応した形状を有している。より具体的には、環状部３２は、所定方向（Ｘ方向）に沿って延びる軸ＡＸ（コア２０の中心軸）を囲む円環形状（楕円環形状等の形状を含む）を有している。軸ＡＸは、ケース３０のＹＺ平面における中心点ＣＰ（重心）を通過している。環状部３２は、所定方向（Ｘ方向）と直交する周方向（Ｃ方向）に沿って延びている。周方向は、中心点ＣＰを中心とする円周方向である。図１から図３までを参照すると、孔部３４は、Ｘ方向と直交する直交平面（ＹＺ平面）において環状部３２に囲まれている。孔部３４は、Ｘ方向に沿ってケース３０を貫通している。
【００３１】
図２を参照すると、コア２０は、ケース３０の環状部３２の内部に収容されている。コア２０は、ＹＺ平面において周方向（Ｃ方向）に沿って連続して延びており、これにより、周方向に沿って延びる１つの閉磁路ＭＣが形成されている。
【００３２】
図１を参照すると、本実施の形態のラインフィルタ１０は、軸ＡＸが前後方向（Ｘ方向）に沿って延びるようにして回路基板（図示せず）に搭載される。即ち、本実施の形態によれば、所定方向は、前後方向（Ｘ方向）であり、直交平面は、垂直面（ＹＺ平面）である。但し、本発明は、これに限られず、前後方向等の方向は、相対的な方向を示しているに過ぎない。
【００３３】
図１を参照すると、本実施の形態のコイル６０の夫々は、絶縁体によって被覆された丸線６０Ｘのマグネットワイヤである。より具体的には、コイル６０の夫々は、銅，アルミニウム等の金属からなる丸型の導電線を１本のみ備えている。導電線は、絶縁体によって被覆されている。即ち、コイル６０の断面形状は、円形である。但し、本発明は、これに限られない。例えば、コイル６０は、平角線であってもよい。
【００３４】
図１から図５までを参照すると、本実施の形態のコイル６０の夫々は、コイル部６２と、２つの端子部６８とを有している。図２を参照すると、２本のコイル６０のコイル部６２は、Ｘ方向と直交する横方向（Ｙ方向）における環状部３２の両側に夫々巻回されており、これにより１つの閉磁路ＭＣを共有している。図５を参照すると、コイル６０の夫々において、２つの端子部６８は、コイル部６２から引き出されており、Ｘ方向及びＹ方向と直交する上下方向（Ｚ方向）において下方（−Ｚ方向）に向かって延びている。本実施の形態によれば、端子部６８の夫々は、コイル６０の一部であり、コイル部６２と一体に形成されている。但し、本発明は、これに限られない。例えば、端子部６８の夫々は、コイル部６２に溶接されていてもよい。
【００３５】
図１を参照すると、ラインフィルタ１０を使用する際、端子部６８は、回路基板（図示せず）の電源ライン（図示せず）に夫々接続される。電源ラインに接続したコイル６０は、コイル６０を流れる大電流に起因して発熱し、これにより破損するおそれがある。コイル６０の発熱量を低減するため、コイル６０として太い導電線を使用する必要がある。
【００３６】
本実施の形態によれば、コイル６０の夫々は、太い丸線６０Ｘのマグネットワイヤであり、大電流が流れても発熱し難い。即ち、本実施の形態のコイル部６２の夫々は、丸線６０Ｘのマグネットワイヤから形成されており、大きな線径を有している。図５を参照すると、丸線６０Ｘの線径ＷＤは、コイル６０の発熱を低減するという観点から大きい方が好ましい。より具体的には、丸線６０Ｘの線径ＷＤは、０．８ｍｍ以上であることが好ましく、１．０ｍｍ以上であることが更に好ましい。
【００３７】
以下、ラインフィルタ１０の構造及び機能について更に詳しく説明する。
【００３８】
図２及び図３を参照すると、ケース３０の環状部３２には、コイル６０に夫々対応する２つの被巻回部４０と、２つの仕切部５０とが設けられている。本実施の形態によれば、被巻回部４０及び仕切部５０の夫々は、環状部３２の一部である。即ち、環状部３２は、２つの被巻回部４０と、２つの仕切部５０とを有している。被巻回部４０の夫々は、対応するコイル６０を巻回するための部位である。仕切部５０の夫々は、隣り合う２つの被巻回部４０を互いに隔てて仕切るための部位である。被巻回部４０及び仕切部５０は、周方向（Ｃ方向）に沿って交互に配置されている。被巻回部４０の夫々は、周方向に沿って円弧状に延びている。仕切部５０の夫々は、周方向において隣り合う２つの被巻回部４０を仕切っている（即ち、互いに隔てている）。
【００３９】
本実施の形態によれば、仕切部５０の夫々は、周方向（Ｃ方向）において隣り合う２つの被巻回部４０を互いに完全に隔てている。被巻回部４０及び仕切部５０は、他の部位を介することなく互いに繋がっており、これにより１つの環を形成している。即ち、本実施の形態の環状部３２は、被巻回部４０及び仕切部５０のみを有している。但し、本発明は、これに限られない。例えば、環状部３２は、周方向において被巻回部４０と仕切部５０との間に位置する他の部位を有していてもよい。
【００４０】
図７、図８、図１１及び図１２を参照すると、本実施の形態の仕切部５０の夫々は、Ｘ方向に沿って延びる三角柱形状を有している。即ち、仕切部５０の夫々は、ＹＺ平面において三角形状を有している。また、仕切部５０の夫々は、周方向（Ｃ方向）と直交する平面において被巻回部４０から張り出している。詳しくは、仕切部５０の夫々は、被巻回部４０からＹＺ平面における外側及び内側に張り出している。加えて、仕切部５０の夫々は、被巻回部４０から前方（＋Ｘ方向）及び後方（−Ｘ方向）に張り出している。但し、隣り合う２つの被巻回部４０を互いに隔てている限り、仕切部５０の構造は、特に限定されない。
【００４１】
図１から図３までを参照すると、ケース３０の孔部３４には、隔壁３６が設けられている。本実施の形態の隔壁３６は、ＸＺ平面と平行に延びる壁である。隔壁３６は、２つの仕切部５０をＺ方向に互いに連結している。詳しくは、隔壁３６は、ＹＺ平面において、中心点ＣＰを通過しつつ２つの仕切部５０に繋がっている。この構造を別の観点から説明すると、隔壁３６は、仕切部５０に夫々対応する２つの垂直壁３６２（図２参照）を有している。垂直壁３６２の夫々は、平板形状の壁であり、ＹＺ平面において、中心点ＣＰから、対応する仕切部５０まで延びている。
【００４２】
図９及び図１０を参照すると、隔壁３６は、Ｘ方向において、仕切部５０の前端（＋Ｘ側の端）と後端（−Ｘ側の端）との間を延びている。ケース３０をＹ方向に沿って見たとき、被巻回部４０のうちの一つが視認できる一方、被巻回部４０のうちの他の一つは、仕切部５０及び隔壁３６によって隠されており視認できない。換言すれば、仕切部５０及び隔壁３６は、２つの被巻回部４０を互いに完全に隔てている。
【００４３】
図２及び図３を参照すると、隔壁３６は、孔部３４を、被巻回部４０に夫々対応する２つの空間（通過孔３８）に分割している。通過孔３８は、ＹＺ平面において、隔壁３６によって互いに隔てられている。通過孔３８の夫々は、Ｘ方向に沿ってケース３０を貫通している。通過孔３８の夫々は、ＹＺ平面において、対応する被巻回部４０と隣接している一方、他の被巻回部４０から離れている。
【００４４】
通過孔３８は、コイル６０に夫々対応して設けられている。コイル部６２の夫々は、対応する通過孔３８を通過しつつ、対応する被巻回部４０に巻回されている。本実施の形態によれば、コイル部６２の夫々は、対応する被巻回部４０のみに巻回されている。また、コイル部６２の夫々は、２つの仕切部５０の少なくとも一方から僅かに離れている。但し、本発明は、これに限られない。例えば、コイル部６２の夫々は、２つの仕切部５０に接触していてもよい。
【００４５】
図１及び図４を参照すると、ラインフィルタ１０をＹ方向に沿って見たとき、コイル部６２のうちの一つを視認できる一方、コイル部６２のうちの他の一つは、仕切部５０及び隔壁３６によって殆ど隠されている。換言すれば、仕切部５０及び隔壁３６は、２つの被巻回部４０に夫々巻回された２つのコイル部６２を互いに略完全に隔てている。
【００４６】
図２を参照すると、コア２０は、導電体である軟磁性金属を含んでいる一方、絶縁体からなるケース３０に収容されており、これにより、コア２０とコイル部６２とは、互いに絶縁されている。また、２つのコイル部６２は、仕切部５０及び隔壁３６によって互いに隔ててられ絶縁されている。この構造によれば、ラインフィルタ１０は、大電流が流れる電源ライン（図示せず）に接続可能である。
【００４７】
ラインフィルタ１０を電源ライン（図示せず）に接続すると、２本のコイル６０にノーマルモードの電流が流れる。このとき、電流に乗ったコモンモードのノイズに起因して、コイル部６２に夫々対応する磁束ＦＣＲ及び磁束ＦＣＬが生じる。磁束ＦＣＲ及び磁束ＦＣＬは、閉磁路ＭＣに沿って互いに同じ向きに流れる。ラインフィルタ１０は、この磁束ＦＣＲ及び磁束ＦＣＬによるコモンモードインダクタンス（Ｌｃ）を有し、これによりコモンモードのノイズを除去できる。即ち、ラインフィルタ１０は、コモンモードチョークコイルとして動作する。
【００４８】
磁束ＦＣＲ及び磁束ＦＣＬは、基本的には閉磁路ＭＣに沿って流れる。但し、その一部は漏れ磁束としてラインフィルタ１０の外部に放出される。ラインフィルタ１０は、この漏れ磁束に起因して、ノーマルモードインダクタンス（Ｌｎ）を有する。Ｌｎは、ばらつき易い。例えば、Ｌｎは、コア２０とコイル部６２との間の位置関係によって容易に変わる。Ｌｎが設計値に比べて大きく変わると、２本のコイル６０に付加されたノーマルモードの電流は、予期しない影響を受けるおそれがある。例えば、実際のＬｎの値がＬｎの設計値よりも低い場合には、ノイズ除去効果が弱まるおそれがある。一方、実際のＬｎの値がＬｎの設計値よりも高い場合には、ノーマルモードの磁束によりコア２０が磁気飽和するおそれがある。
【００４９】
ノーマルモードインダクタンス（Ｌｎ）のばらつきを抑制するという観点から、２本のコイル６０は、環状部３２に均一且つ同様に巻回することが好ましい。また、コイル６０の巻回数は、必要なコモンモードインダクタンス（Ｌｃ）が得られ、且つ、大電流に起因するコイル６０の発熱を抑制できるように設計する必要がある。
【００５０】
図１から図５までを参照すると、コイル６０の巻回数を上述のように設計した場合、巻回数は、比較的小さくなりがちである。巻回数が小さくなると、コイル６０を疎らに巻回することになる。しかしながら、円環形状の環状部３２に太いコイル６０を疎らに巻回する場合、巻回工程を自動化し難い。図２及び図３を参照すると、孔部３４が隔壁３６によって小さな通過孔３８に分割されているため、巻回工程の自動化が更に難しい。即ち、巻回工程を、作業者の手作業に頼る必要がある。手作業に頼った巻回工程においては、２本のコイル６０が必ずしも同様に巻回されず、この結果、ノーマルモードインダクタンス（Ｌｎ）がばらつくおそれがある。
【００５１】
一方、本実施の形態のラインフィルタ１０は、ノーマルモードインダクタンス（Ｌｎ）のばらつきを抑制可能な構造を有している。以下、この構造について説明する。
【００５２】
図７及び図８を参照すると、被巻回部４０の夫々には、複数のガイド突起４２が設けられている。ガイド突起４２は、作業者がコイル６０を被巻回部４０に夫々巻回する際、コイル６０の巻回をガイドする。より具体的には、作業者は、ガイド突起４２の間にコイル６０を巻回することで、２本のコイル６０を、位置ずれなく互いに同様に巻回でき、これにより、ノーマルモードインダクタンス（Ｌｎ）のばらつきを抑制できる。即ち、本実施の形態によれば、ノーマルモードインダクタンスのばらつきを抑制しつつ、電源ライン（図示せず）のコモンモードノイズ（Ｌｃ）を除去できるラインフィルタ１０（図１参照）を提供できる。
【００５３】
図２及び図３を参照すると、本実施の形態によれば、コイル部６２の夫々は、端子部６８が引き出された部位を除き、殆どの部位が、周方向（Ｃ方向）において隣り合う２つのガイド突起４２の間に巻回されて位置している。この構造によれば、コイル部６２を位置ずれなく巻回し易い。但し、本発明は、これに限られない。コイル部６２の夫々は、周方向において隣り合う２つのガイド突起４２の間に、少なくとも部分的に位置していればよい。
【００５４】
図７及び図８を参照すると、本実施の形態によれば、コイル部６２の夫々において、周方向（Ｃ方向）において隣り合う２つのガイド突起４２の間に位置する部位の巻回数（以下、「突起間巻回数」という。）は１である。即ち、隣り合う２つのガイド突起４２の間には、コイル部６２が１回だけ巻回されている。隣り合う２つのガイド突起４２の間の周方向における距離は、丸線６０Ｘの線径よりも僅かに大きい。この構造によれば、コイル部６２を位置ずれなく同様に巻回し易い。
【００５５】
一方、太いコイル６０を使用する場合、突起間巻回数が４を超えると、ガイド突起４２間のコイル部６２の巻き順が乱れ易くなる。巻き順が乱れると、巻線使用量の変化による抵抗値の変化といった特性のばらつきが生じるおそれがある。従って、突起間巻回数は、４以下であることが好ましい。また、隣り合う２つのガイド突起４２の間の周方向における距離は、丸線６０Ｘの線径×突起間巻回数よりも僅かに大きいことが好ましい。
【００５６】
図２及び図３を参照すると、本実施の形態によれば、コイル部６２の夫々は、ガイド突起４２の間に互いに重ならないように巻回されている。この配置によれば、コイル部６２の夫々を均一に巻回し易く、且つ、大電流に起因するコイル６０の破損を防止し易い。但し、本発明は、これに限られず、コイル部６２の夫々の配置は、必要に応じて変形可能である。
【００５７】
図２、図３、図７及び図８を参照すると、本実施の形態の被巻回部４０の夫々には、９つの（即ち、３つ以上の）ガイド突起４２が設けられている。被巻回部４０の夫々におけるガイド突起４２は、周方向（Ｃ方向）に沿って等間隔に配置されている。この配置によれば、コイル６０の夫々を均一に巻回し易い。但し、本発明は、これに限られない。例えば、被巻回部４０の夫々におけるガイド突起４２の数は、コイル部６２の必要な巻回数に合せて設定すればよく、２以上であればよい。また、被巻回部４０の夫々におけるガイド突起４２の配置は、必要に応じて変形可能である。
【００５８】
本実施の形態によれば、環状部３２におけるガイド突起４２は、軸ＡＸと直交する所定線ＰＬ（図７参照）について線対称に配置されている。本実施の形態の所定線ＰＬは、中心点ＣＰを通過しつつＺ方向に沿って延びる線である。換言すれば、環状部３２の２つの被巻回部４０におけるガイド突起４２は、軸ＡＸについて２回対称に配置されている。この配置によれば、２本のコイル６０を互いに同様に巻回し易い。但し、本発明は、これに限られず、環状部３２におけるガイド突起４２の配置は、必要に応じて変形可能である。
【００５９】
図７から図１２までを参照すると、本実施の形態のガイド突起４２の夫々は、直方体形状を有している。即ち、ガイド突起４２の夫々は、周方向（Ｃ方向）に部分的に張り出した張出部を有していない。仮に、ガイド突起４２の夫々の先端に、張出部が形成されている場合、ガイド突起４２の間にコイル６０（図１参照）を巻回し難い。本実施の形態によれば、ガイド突起４２の夫々に、このような張出部が設けられていないため、コイル６０を容易に巻回できる。
【００６０】
本実施の形態の環状部３２は、外周面３２０と、第１面３２２と、第２面３２４と、第１曲面３２６と、第２曲面３２８とを有している。本実施の形態によれば、外周面３２０、第１面３２２、第２面３２４、第１曲面３２６及び第２曲面３２８の夫々は、周方向（Ｃ方向）において仕切部５０によって２つの部位に分離されており、これにより、被巻回部４０の夫々にのみ形成されている。但し、本発明は、これに限られない。例えば、外周面３２０は、仕切部５０を含めて、環状部３２全体に形成されていてもよい。
【００６１】
第１面３２２及び第２面３２４は、Ｘ方向における環状部３２の両側に夫々位置する平面であり、ＹＺ平面と平行に延びている。外周面３２０は、Ｘ方向において第１面３２２と第２面３２４との間に位置する面である。外周面３２０は、Ｘ方向と平行に延びており、且つ、ＹＺ平面における環状部３２の外周に沿って延びている。即ち、外周面３２０は、周方向（Ｃ方向）に沿って延びる円柱面の一部である。
【００６２】
第１曲面３２６は、Ｘ方向において第１面３２２と外周面３２０との間に位置している。第２曲面３２８は、Ｘ方向において第２面３２４と外周面３２０との間に位置している。第１曲面３２６及び第２曲面３２８の夫々は、Ｘ方向と交差している。詳しくは、図７及び図８を参照すると、第１曲面３２６及び第２曲面３２８の夫々は、ＹＺ平面において外周面３２０に沿って延びている。図１１を参照すると、軸ＡＸを含む平面において、第１曲面３２６は、外周面３２０と第１面３２２との間を弧状に延びており、第２曲面３２８は、外周面３２０と第２面３２４との間を弧状に延びている。
【００６３】
本実施の形態の環状部３２は、上述した面に加えて、内周面３３０と、第１内周曲面３３６と、第２内周曲面３３８とを有している。外周面３２０、第１曲面３２６及び第２曲面３２８は、軸ＡＸを含む平面において、環状部３２の外側に位置している。一方、内周面３３０、第１内周曲面３３６及び第２内周曲面３３８は、軸ＡＸを含む平面において、環状部３２の内側に位置しており、孔部３４に面している。内周面３３０、第１内周曲面３３６及び第２内周曲面３３８は、軸ＡＸを含む面において、外周面３２０、第１曲面３２６及び第２曲面３２８と線対称な形状を有している。
【００６４】
図７及び図８を参照すると、本実施の形態の外周面３２０及び内周面３３０の夫々は、ＹＺ平面において、直線状に延びる部位のない円弧形状を有している。即ち、本実施の形態の被巻回部４０の夫々は、周方向（Ｃ方向）に沿って延びる円弧形状を有している。但し、本発明は、これに限られない。例えば、外周面３２０及び内周面３３０の夫々は、ＹＺ平面において、楕円弧形状を有していてもよい。
【００６５】
図１１を参照すると、本実施の形態によれば、被巻回部４０の夫々は、軸ＡＸを含む平面において、角丸矩形形状を有している。即ち、被巻回部４０の夫々は、鋭い角を有していない。この構造によれば、コイル６０（図１参照）を巻回する際のコイル部６２（図１参照）の破損を防止し易い。但し、軸ＡＸを含む平面における被巻回部４０の形状は、本実施の形態に限定されず、様々に変形可能である。例えば、内周面３３０、第１内周曲面３３６及び第２内周曲面３３８の形状は、外周面３２０、第１曲面３２６及び第２曲面３２８の形状と異なっていてもよい。第１面３２２及第２面３２４の夫々は、曲面であってもよい。外周面３２０は、軸ＡＸを含む平面において弧形状を有していてもよい。
【００６６】
図７及び図８を参照すると、ガイド突起４２の夫々は、ＹＺ平面において、中心点ＣＰを中心とする径方向に沿って被巻回部４０から突出している。即ち、環状部３２の全てのガイド突起４２は、中心点ＣＰから放射されるようにして被巻回部４０に配置されている。換言すれば、ガイド突起４２は、被巻回部４０に放射状に配置されている。特に、本実施の形態のガイド突起４２の夫々は、外周面３２０上に設けられており、ＹＺ平面における環状部３２の外側に向かって突出している。この配置によれば、コイル６０の巻回作業が容易になる。
【００６７】
図９から図１２までを参照すると、本実施の形態によれば、ガイド突起４２の夫々は、外周面３２０上にのみ設けられており、且つ、第１曲面３２６及び第２曲面３２８の夫々から離れている。仮に、ガイド突起４２の夫々がＸ方向において第１曲面３２６及び第２曲面３２８に接近するように設けられている場合、巻回作業の際にコイル６０（図１参照）がガイド突起４２に擦り付けられて損傷するおそれがある。本実施の形態によれば、コイル６０の損傷を防止し易い。但し、本発明は、これに限られず、ガイド突起４２の位置は、必要に応じて変形可能である。例えば、ガイド突起４２は、被巻回部４０の全ての面に設けられていてもよい。
【００６８】
本実施の形態によれば、第１曲面３２６と外周面３２０とは、第１境界線３２７において互いに繋がっており、第２曲面３２８と外周面３２０とは、第２境界線３２９において互いに繋がっている。第１境界線３２７及び第２境界線３２９の夫々は、ＹＺ平面において円弧形状を有する曲線である。但し、本発明は、これに限られず、外周面３２０、第１曲面３２６及び第２曲面３２８の間の位置関係は、必要に応じて変形可能である。
【００６９】
本実施の形態のガイド突起４２の夫々は、Ｘ方向において第１曲面３２６及び第２曲面３２８の夫々から離れている。詳しくは、ガイド突起４２の夫々の前端は、第１境界線３２７から所定距離Ｄ０だけ離れて後方に位置しており、ガイド突起４２の夫々の後端は、第２境界線３２９から所定距離Ｄ０だけ離れて前方に位置している。本実施の形態の所定距離Ｄ０は、ガイド突起４２のＸ方向における長さの１／２以上である。この配置によれば、太いコイル６０を巻回する際のコイル６０への曲げ応力が和らぎ、これにより、コイル部６２の破損を防止し易い。但し、本発明は、これに限られず、Ｘ方向におけるガイド突起４２の位置は、必要に応じて変形可能である。
【００７０】
図７を参照すると、本実施の形態のコイル６０は太い。一般的に、太いコイル６０を巻回すると、コイル６０は、巻回された部位から浮き上がり易い。本実施の形態によれば、コイル部６２の夫々において、周方向（Ｃ方向）において隣り合う２つのガイド突起４２の間に位置する部位は、外周面３２０から離れている。但し、ガイド突起４２の夫々は、ＹＺ平面における環状部３２の外側に向かって、丸線６０Ｘの半径以上の距離だけ突出している。即ち、ガイド突起４２の夫々の環状部３２からの突出距離ＰＤは、丸線６０Ｘの半径以上である。この突出距離によれば、巻回したコイル部６２の、周方向においてガイド突起４２を越えた移動が防止できる。即ち、本実施の形態によれば、コイル部６２の巻回後の巻崩れを防止できる。但し、本発明は、これに限られず、ガイド突起４２の夫々の突出距離は、必要に応じて変形可能である。
【００７１】
本発明は、上述した実施の形態や変形例に加えて、更に様々に応用可能である。例えば、ケース３０は、上述した部位に加えて、回路基板（図示せず）に位置決めするための部位等、様々な部位を有していてもよい。また、上述した実施の形態によれば、ラインフィルタ１０のコイル６０の数（Ｎ）は２であるが、Ｎは、３以上であってもよい。以下、Ｎが３又は４である変形例について、既に説明した本実施の形態との相違点を中心に説明する。
【００７２】
図１３から図１５までを参照すると、変形例によるラインフィルタ１０Ａは、コア２０（図６参照）と、絶縁体からなるケース３０Ａと、３本のコイル６０とを備えている。即ち、ラインフィルタ１０Ａのコイル６０の数（Ｎ）は３である。
【００７３】
ケース３０Ａは、環状部３２Ａと、孔部３４Ａとを有している。環状部３２Ａは、所定方向（Ｚ方向）に沿って延びる軸ＡＸを囲む円環形状を有しており、Ｚ方向と直交する周方向（Ｃ方向）に沿って延びている。コア２０（図２参照）は、環状部３２Ａの内部に収容されている。孔部３４Ａは、Ｚ方向と直交する直交平面（ＸＹ平面）において環状部３２Ａに囲まれている。本変形例のケース３０Ａは、軸ＡＸがＺ方向に沿って延びるようにして回路基板（図示せず）に搭載される。即ち、本変形例によれば、所定方向は、上下方向（Ｚ方向）であり、直交平面は、前後方向（Ｘ方向）及び横方向（Ｙ方向）によって規定される水平面（ＸＹ平面）である。
【００７４】
環状部３２Ａには、コイル６０に夫々対応する３つの被巻回部４０Ａと、３つの仕切部５０Ａとが設けられている。被巻回部４０Ａ及び仕切部５０Ａは、周方向（Ｃ方向）に沿って交互に配置されている。仕切部５０Ａの夫々は、周方向において隣り合う２つの被巻回部４０Ａを仕切っている。孔部３４Ａには、隔壁３６Ａが設けられている。隔壁３６Ａは、仕切部５０Ａに夫々対応する３つの垂直壁３６２Ａを有している。垂直壁３６２Ａの夫々は、ＹＺ平面と平行に延びる平板形状の壁であり、ＸＹ平面において、中心点ＣＰから、対応する仕切部５０Ａまで延びている。即ち、隔壁３６Ａは、ＸＹ平面において仕切部５０Ａに繋がっており、これにより、孔部３４Ａを、３つの通過孔３８Ａに分割している。
【００７５】
３つの通過孔３８Ａは、被巻回部４０Ａに夫々対応しており、且つ、コイル部６２に夫々対応している。通過孔３８Ａは、ＸＹ平面において、隔壁３６Ａによって互いに隔てられている。通過孔３８Ａの夫々は、Ｚ方向に沿ってケース３０Ａを貫通しており、且つ、ＸＹ平面において、対応する被巻回部４０Ａと隣接している。コイル部６２の夫々は、対応する通過孔３８Ａを通過しつつ、対応する被巻回部４０Ａのみに巻回されている。
【００７６】
被巻回部４０Ａの夫々には、６つのガイド突起４２Ａが設けられている。ガイド突起４２Ａの夫々は、ガイド突起４２（図１参照）と同様な形状を有している。被巻回部４０Ａの夫々におけるガイド突起４２Ａは、周方向（Ｃ方向）に沿って等間隔に配置されている。コイル部６２の夫々は、周方向において隣り合う２つのガイド突起４２Ａの間に、少なくとも部分的に位置している。本変形例によれば、コイル部６２の夫々において、周方向において隣り合う２つのガイド突起４２Ａの間に位置する部位の巻回数（突起間巻回数）は１である。一方、隣り合う２つのガイド突起４２Ａの間の周方向における距離は、コイル６０の線径の２倍よりも大きい。従って、コイル部６２が互いに重ならないようにしつつ、突起間巻回数を２にできる。
【００７７】
環状部３２Ａは、外周面３２０Ａと、第１面３２２Ａと、第２面３２４Ａと、第１曲面３２６Ａと、第２曲面３２８Ａとを有している。第１面３２２Ａ及び第２面３２４Ａは、Ｚ方向における環状部３２Ａの両側に夫々位置する平面であり、ＸＹ平面と平行に延びている。外周面３２０Ａは、Ｚ方向において第１面３２２Ａと第２面３２４Ａとの間に位置する面である。外周面３２０Ａは、Ｚ方向と平行に延びており、且つ、ＸＹ平面における環状部３２Ａの外周に沿って延びている。第１曲面３２６Ａ及び第２曲面３２８Ａの夫々は、Ｚ方向と交差する曲面である。第１曲面３２６Ａは、Ｚ方向において第１面３２２Ａと外周面３２０Ａとの間に位置している。第２曲面３２８Ａは、Ｚ方向において第２面３２４Ａと外周面３２０Ａとの間に位置している。
【００７８】
ガイド突起４２Ａの夫々は、外周面３２０Ａ上にのみ設けられている。ガイド突起４２Ａは、ＸＹ平面における環状部３２Ａの外側に向かって放射状に突出している。コイル部６２の夫々において、周方向（Ｃ方向）において隣り合う２つのガイド突起４２Ａの間に位置する部位は、外周面３２０Ａから浮き上がって離れている。一方、ガイド突起４２Ａの夫々は、ＸＹ平面における環状部３２Ａの外側に向かって、コイル６０の半径以上の距離だけ突出しており、これによりコイル部６２の巻崩れを防止している。
【００７９】
第１曲面３２６Ａの下端（−Ｚ側の端）には、第１境界線３２７Ａが形成されており、第２曲面３２８Ａの上端（＋Ｚ側の端）には、第２境界線３２９Ａが形成されている。第１境界線３２７Ａ及び第２境界線３２９Ａの夫々は、ＸＹ平面において円弧形状を有する曲線である。ガイド突起４２Ａの夫々は、ＸＹ平面において第１曲面３２６Ａ及び第２曲面３２８Ａの夫々から離れている。
【００８０】
詳しくは、外周面３２０Ａは、ＸＹ平面において、第１境界線３２７Ａから所定距離Ｄ１だけ離れて外側に位置しており、且つ、第２境界線３２９Ａから所定距離Ｄ１だけ離れて外側に位置している。所定距離Ｄ１は、ガイド突起４２Ａの外周面３２０Ａからの突出長の１／２以上である。この配置によれば、前述した実施の形態と同様に、太いコイル６０を巻回する際のコイル６０への曲げ応力が和らぎ、これにより、コイル部６２の破損を防止し易い。但し、本発明は、これに限られず、ＸＹ平面におけるガイド突起４２Ａの位置は、必要に応じて変形可能である。
【００８１】
環状部３２Ａの３つの被巻回部４０Ａにおけるガイド突起４２Ａは、軸ＡＸについてＮ回対称（Ｎ＝３）に配置されている。また、環状部３２Ａにおけるガイド突起４２Ａは、軸ＡＸと直交する所定線ＰＬについて線対称に配置されている。本変形例の所定線ＰＬは、中心点ＣＰを通過しつつＹ方向に沿って延びる線である。
【００８２】
図１３を参照すると、本変形例によれば、ケース３０Ａは、樹脂からなる基部材３０６Ａと、樹脂からなる付加部材３０７Ａと、樹脂からなる仕切部材３０８Ａとを備えている。基部材３０６Ａ、付加部材３０７Ａ及び仕切部材３０８Ａは、互いに別体にモールド成型された後に、互いに組み合わされており、これによりケース３０Ａが形成されている。
【００８３】
詳しくは、図１３及び図１６を参照すると、基部材３０６Ａ及び付加部材３０７Ａの夫々は、ＸＹ平面において円環形状を有している。基部材３０６Ａには、コア２０（図２参照）が収容されている。付加部材３０７Ａは、コア２０を収容した基部材３０６ＡのＸＹ平面における外周に取り付けられており、これにより、環状部３２Ａが形成されている。仕切部材３０８Ａは、環状部３２Ａに取り付けられている。本変形例によれば、被巻回部４０Ａの夫々は、環状部３２Ａの一部であり、仕切部５０Ａ及び隔壁３６Ａの夫々は、仕切部材３０８Ａの一部である。また、外周面３２０Ａ及びガイド突起４２Ａの夫々は、環状部３２Ａの付加部材３０７Ａの一部である。
【００８４】
本変形例によれば、付加部材３０７Ａ及び仕切部材３０８Ａの構造をコイル６０の数（Ｎ）に合せて変えることにより、同じ基部材３０６Ａを使用して、コイル６０の数（Ｎ）に適したケース３０Ａを容易に形成可能である。但し、本発明は、これに限られない。例えば、隔壁３６Ａ、被巻回部４０Ａ、ガイド突起４２Ａ及び仕切部５０Ａの夫々は、一体形成された単一部材の一部であってもよい。
【００８５】
図１７から図１９までを参照すると、別の変形例によるラインフィルタ１０Ｂは、コア２０（図６参照）と、絶縁体からなるケース３０Ｂと、４本のコイル６０とを備えている。ラインフィルタ１０Ｂは、コイル６０の数の相違に基づく相違点を除き、ラインフィルタ１０Ａ（図１３参照）と同様な構造を有している。以下、ラインフィルタ１０Ａとの相違点を中心に説明する。
【００８６】
ケース３０Ｂは、環状部３２Ｂと、孔部３４Ｂとを有している。環状部３２Ｂは、所定方向（Ｚ方向）に沿って延びる軸ＡＸを囲む円環形状を有しており、Ｚ方向と直交する周方向（Ｃ方向）に沿って延びている。コア２０（図２参照）は、環状部３２Ｂの内部に収容されている。孔部３４Ｂは、Ｚ方向と直交する直交平面（ＸＹ平面）において環状部３２Ｂに囲まれている。本変形例によれば、所定方向は、上下方向（Ｚ方向）であり、直交平面は、前後方向（Ｘ方向）及び横方向（Ｙ方向）によって規定される水平面（ＸＹ平面）である。
【００８７】
環状部３２Ｂには、コイル６０に夫々対応する４つの被巻回部４０Ｂと、４つの仕切部５０Ｂとが設けられている。被巻回部４０Ｂ及び仕切部５０Ｂは、周方向（Ｃ方向）に沿って交互に配置されている。被巻回部４０Ｂの夫々には、５つのガイド突起４２Ａが設けられている。仕切部５０Ｂの夫々は、周方向において隣り合う２つの被巻回部４０Ｂを仕切っている。孔部３４Ｂには、隔壁３６Ｂが設けられている。隔壁３６Ｂは、仕切部５０Ｂに夫々対応する４つの垂直壁３６２Ｂを有している。垂直壁３６２Ｂの夫々は、平板形状の壁であり、ＸＹ平面において、中心点ＣＰから、対応する仕切部５０Ｂまで延びている。即ち、隔壁３６Ｂは、ＸＹ平面において仕切部５０Ｂに繋がっており、これにより、孔部３４Ｂを、４つの通過孔３８Ａに分割している。
【００８８】
４つの通過孔３８Ｂは、被巻回部４０Ｂに夫々対応しており、且つ、コイル部６２に夫々対応している。通過孔３８Ｂは、ＸＹ平面において、隔壁３６Ｂによって互いに隔てられている。通過孔３８Ｂの夫々は、Ｚ方向に沿ってケース３０Ｂを貫通しており、且つ、ＸＹ平面において、対応する被巻回部４０Ｂと隣接している。コイル部６２の夫々は、対応する通過孔３８Ｂを通過しつつ、対応する被巻回部４０Ｂのみに巻回されている。
【００８９】
環状部３２Ｂは、外周面３２０Ｂと、第１面３２２Ｂと、第２面３２４Ｂと、第１曲面３２６Ｂと、第２曲面３２８Ｂとを有している。第１面３２２Ｂ及び第２面３２４Ｂは、Ｚ方向における環状部３２Ｂの両側に夫々位置する平面であり、ＸＹ平面と平行に延びている。外周面３２０Ｂは、Ｚ方向において第１面３２２Ｂと第２面３２４Ｂとの間に位置する面である。外周面３２０Ｂは、Ｚ方向と平行に延びており、且つ、ＸＹ平面における環状部３２Ｂの外周に沿って延びている。第１曲面３２６Ｂ及び第２曲面３２８Ｂの夫々は、Ｚ方向と交差する曲面である。第１曲面３２６Ｂは、Ｚ方向において第１面３２２Ｂと外周面３２０Ｂとの間に位置している。第２曲面３２８Ｂは、Ｚ方向において第２面３２４Ｂと外周面３２０Ｂとの間に位置している。
【００９０】
ガイド突起４２Ａの夫々は、外周面３２０Ｂ上にのみ設けられている。ガイド突起４２Ａは、ＸＹ平面における環状部３２Ｂの外側に向かって放射状に突出している。第１曲面３２６Ｂの下端には、第１境界線３２７Ｂが形成されており、第２曲面３２８Ｂの上端には、第２境界線３２９Ｂが形成されている。外周面３２０Ｂは、ＸＹ平面において、第１境界線３２７Ｂから所定距離Ｄ２だけ離れて外側に位置しており、且つ、第２境界線３２９Ｂから所定距離Ｄ２だけ離れて外側に位置している。
【００９１】
環状部３２Ｂの４つの被巻回部４０Ｂにおけるガイド突起４２Ａは、軸ＡＸについてＮ回対称（Ｎ＝４）に配置されている。また、環状部３２Ｂにおけるガイド突起４２Ａは、軸ＡＸと直交する所定線ＰＬについて線対称に配置されている。本変形例の所定線ＰＬは、中心点ＣＰを通過しつつＸ方向又はＹ方向に沿って延びる線である。
【００９２】
以上の説明を纏めると、本発明のラインフィルタは、Ｎ本（Ｎは、２以上の整数）のコイル６０を備えている。ラインフィルタのコア２０は、絶縁体からなるケースに収容されており、これにより、コアとコイル部との間が確実に絶縁されている。また、ケースの環状部は、コイル６０に夫々対応するＮ個の被巻回部と、Ｎ個の仕切部とを有している。仕切部の夫々は、周方向において隣り合う２つの被巻回部を仕切っており、且つ、隔壁は、ケースの孔部を、被巻回部に夫々対応するＮ個の通過孔に分割している。このように形成した仕切部及び隔壁は、Ｎ個のコイル部６２を互いに絶縁できる。
【００９３】
上述の構造により、本発明のラインフィルタは、電源ラインに接続可能である。また、本発明によれば、被巻回部の夫々に、複数のガイド突起が設けられている。作業者は、ガイド突起の間にコイルを巻回することで、Ｎ本のコイルを互いに同様に巻回でき、これにより、ノーマルモードインダクタンス（Ｌｎ）のばらつきを抑制できる。即ち、本発明によれば、Ｌｎのばらつきを抑制しつつ、電源ラインのコモンモードノイズを除去できるラインフィルタを提供できる。
【符号の説明】
【００９４】
１０，１０Ａ，１０Ｂ          ラインフィルタ
２０                          コア
２２                          内周面
２４                          外周面
２８                          中心孔
３０，３０Ａ，３０Ｂ          ケース
３０２                        第１部材
３０４                        第２部材
３０６Ａ                      基部材
３０７Ａ                      付加部材
３０８Ａ                      仕切部材
３２，３２Ａ，３２Ｂ          環状部
３２０，３２０Ａ，３２０Ｂ    外周面
３２２，３２２Ａ，３２２Ｂ    第１面
３２４，３２４Ａ，３２４Ｂ    第２面
３２６，３２６Ａ，３２６Ｂ    第１曲面
３２７，３２７Ａ，３２７Ｂ    第１境界線
３２８，３２８Ａ，３２８Ｂ    第２曲面
３２９，３２９Ａ，３２９Ｂ    第２境界線
３３０                        内周面
３３６                        第１内周曲面
３３８                        第２内周曲面
３４，３４Ａ，３４Ｂ          孔部
３６，３６Ａ，３６Ｂ          隔壁
３６２，３６２Ａ，３６２Ｂ    垂直壁
３８，３８Ａ，３８Ｂ          通過孔
４０，４０Ａ，４０Ｂ          被巻回部
４２，４２Ａ                  ガイド突起
５０，５０Ａ，５０Ｂ          仕切部
６０                          コイル
６２                          コイル部
６８                          端子部
６０Ｘ                        丸線
ＡＸ                          軸
ＣＰ                          中心点
ＰＬ                          所定線
ＭＣ                          閉磁路
ＦＣＲ，ＦＣＬ                磁束
【要約】
【課題】ノーマルモードインダクタンスのばらつきを抑制しつつ、電源ラインのコモンモードノイズを除去できるラインフィルタを提供すること。
【解決手段】ラインフィルタ１０は、ケース３０と、２つのコイル部６２とを備えている。ケース３０は、コア２０を収容した円環形状の環状部３２と、環状部３２に囲まれた孔部３４とを有している。環状部３６は、コイル部６２に夫々対応する２つの被巻回部４０と、２つの仕切部５０とを有している。被巻回部４０の夫々は、周方向において隣り合う２つの被巻回部４０を仕切っている。孔部３４には、隔壁３６が設けられている。隔壁３６は、孔部３４を、被巻回部４０に夫々対応する２つの通過孔３８に分割している。コイル部６２の夫々は、対応する通過孔３８を通過しつつ、対応する被巻回部４０に巻回されている。被巻回部４０の夫々には、コイル部６２の巻回を夫々ガイドする複数のガイド突起４２が設けられている。
【選択図】図２【図１】
0006763074.tif 000002
【図２】
0006763074.tif 000003
【図３】
0006763074.tif 000004
【図４】
0006763074.tif 000005
【図５】
0006763074.tif 000006
【図６】
0006763074.tif 000007
【図７】
0006763074.tif 000008
【図８】
0006763074.tif 000009
【図９】
0006763074.tif 000010
【図１０】
0006763074.tif 000011
【図１１】
0006763074.tif 000012
【図１２】
0006763074.tif 000013
【図１３】
0006763074.tif 000014
【図１４】
0006763074.tif 000015
【図１５】
0006763074.tif 000016
【図１６】
0006763074.tif 000017
【図１７】
0006763074.tif 000018
【図１８】
0006763074.tif 000019
【図１９】
0006763074.tif 000020